(57)【要約】【課題】支持板の振動を抑制し、対物レンズの位置制御を安定化する。【解決手段】  この光学系駆動装置には、対物レンズが固定されて、当該対物レンズをフォーカシング方向に移動させるためのレンズ固定部と、フォーカシング方向に対して直交するトラッキング方向に沿って移動するキャリッジと、レンズ固定部をキャリッジに支持する支持部とが備えられている。支持部は、レンズ固定部の上部とキャリッジの上部とを連結する上部支持板と、レンズ固定部の下部とキャリッジの下部とを連結する下部支持板とを有している。そして、上部支持板と下部支持板との総数は少なくとも３枚以上である。【選択図】図２
2007334978.tif 000002
【特許請求の範囲】
【請求項１】
対物レンズが固定されて、当該対物レンズをフォーカシング方向に移動させるためのレンズ固定部と、
前記フォーカシング方向に対して直交するトラッキング方向に沿って移動するキャリッジと、
前記レンズ固定部を前記キャリッジに支持する支持部とを備え、
前記支持部は、前記レンズ固定部の上部と前記キャリッジの上部とを連結する上部支持板と、前記レンズ固定部の下部と前記キャリッジの下部とを連結する下部支持板とを有し、
前記上部支持板と前記下部支持板との総数が少なくとも３枚以上であることを特徴とする光学系駆動装置。
【請求項２】
請求項１記載の光学系駆動装置において、
前記上部支持板の総数と、前記下部支持板との総数とが同数であることを特徴とする光学系駆動装置。
【発明の詳細な説明】
【技術分野】
【０００１】
本発明は、光学系駆動装置に係り、特に、ＣＤ、ＤＶＤ等を読み取るピックアップ装置に搭載される光学系駆動装置に関する。
【背景技術】
【０００２】
ピックアップ装置に搭載されている光学系駆動装置は、電磁力によって対物レンズをトラッキング方向に移動させるようになっている（例えば特許文献１参照）。具体的には、光学系駆動装置１００には、図３に示すように対物レンズ１０１と、対物レンズ１０１を搭載するキャリッジ１０２とが設けられている。キャリッジ１０２は、一対のガイド１０３によってスライド自在に支持されている。ガイド１０３はトラッキング方向に沿うように配置されている。キャリッジ１０２がガイド１０３に沿ってスライドすると、対物レンズ１０１がトラッキング方向に沿って移動することになる。
【０００３】
キャリッジ１０２の内側には、対物レンズ１０１が固定されたレンズ固定部１０４と、レンズ固定部１０４をキャリッジ１０２に支持させるための２枚の支持板１０５とが配置されている。
【０００４】
レンズ固定部１０４の両側面にはそれぞれコイル１０６が、その巻き方向がトラッキング方向に直交する方向に沿うように取り付けられている。このコイル１０６のそれぞれに対向するように、キャリッジ１０２の内面には永久磁石１０７が設けられている。
【０００５】
２枚の支持板１０５のうち、１枚目の支持板１０５ａは基端部がキャリッジ１０２の上部に固定されていて、先端部がレンズ固定部１０４の上部に固定されており、２枚目の支持板１０５ｂは基端部がキャリッジ１０２の下部に固定されていて、先端部がレンズ固定部１０４の下部に固定されている。
【０００６】
そして、コイル１０６に電流が流れると、永久磁石１０７とにより電磁力が発生することになり、この電磁力によって、レンズ固定部１０４が２枚の支持板１０５を撓ませながら昇降し、対物レンズ１０１をフォーカシング方向に昇降させることになる。
【０００７】
また、キャリッジ１０２の両側面にはそれぞれコイル１０８が、巻き方向がトラッキング方向に沿うように取り付けられている。コイル１０８にはガイド１０３と平行な内ヨーク１０９が挿入されている。内ヨーク１０９の外側には、外ヨーク１１０が内ヨーク１０９とともに枠を形成するように配置されている。外ヨーク１１０の内側には、内ヨーク１０９に沿って棒状の永久磁石１１１が配置されている。
【０００８】
そして、コイル１０８に電流が流れると、永久磁石１０９とにより電磁力が発生することになる。この電磁力によって、キャリッジ１０２がガイド１０３に沿って移動し、対物レンズ１０１をトラッキング方向に移動させることになる。
【特許文献１】特開平８−２３５６１７号公報
【発明の開示】
【発明が解決しようとする課題】
【０００９】
ところで、支持板１０５はトラッキング方向に沿って延在しているので、トラッキング方向における対物レンズ１０１の移動時となると、そのときの加減速によって、支持板１０５が振動してしまう。この揺れは、対物レンズ１０１の位置調整に悪影響を及ぼし、当該位置調整が不安定になってしまう。
【００１０】
本発明の課題は、支持板の振動を抑制し、対物レンズの位置制御を安定化することである。
【課題を解決するための手段】
【００１１】
請求項１記載の発明における光学系駆動装置は、
対物レンズが固定されて、当該対物レンズをフォーカシング方向に移動させるためのレンズ固定部と、
前記フォーカシング方向に対して直交するトラッキング方向に沿って移動するキャリッジと、
前記レンズ固定部を前記キャリッジに支持する支持部とを備え、
前記支持部は、前記レンズ固定部の上部と前記キャリッジの上部とを連結する上部支持板と、前記レンズ固定部の下部と前記キャリッジの下部とを連結する下部支持板とを有し、
前記上部支持板と前記下部支持板との総数が少なくとも３枚以上であることを特徴としている。
【００１２】
請求項２記載の発明は、請求項１記載の光学系駆動装置において、
前記上部支持板の総数と、前記下部支持板との総数とが同数であることを特徴としている。
【発明の効果】
【００１３】
まず、本発明者は上記した振動を抑えるために当該支持板を厚くした。ところが、単に支持板を厚くすると、剛性も高まるためにフォーカシング方向への位置調整時の負荷が増加し、コイルに対する電流を増加させなければならない。そこで、本発明者は例えば、上部支持板と下部支持板との総数を従来と同様に２枚として厚くした場合と、本発明のように上部支持板と下部支持板との総数を３枚以上にしてそれらを合わせた厚みを、総数を２枚とした場合の厚みの合計数と同じにした場合とでは、両者ともに振動を抑制することができ、さらには後者の場合、全体として剛性の高まりが小さくなることを発明者は見出した。つまり、本発明のように上部支持板と下部支持板との総数を少なくとも３枚以上とすると、振動を抑制しつつも、フォーカシング方向への負荷の増加を抑制することが可能となる。これにより、支持板の振動を抑制し、対物レンズの位置制御を安定化することができるのである。
【発明を実施するための最良の形態】
【００１４】
以下、本実施形態における光学系駆動装置について図を参照にして説明する。図１は光学系駆動装置１の概略構成を表す斜視図である。図１に示すように光学系駆動装置１には、対物レンズ２と、対物レンズ２を搭載するキャリッジ３とが設けられている。
【００１５】
キャリッジ３は、一対のガイド４によってスライド自在に支持されている。ガイド４はトラッキング方向に沿うように配置されており、キャリッジ３がガイド４に沿ってスライドすると、対物レンズ２がトラッキング方向に沿って移動することになる。キャリッジ３は、上面視ロ字形状に形成されていて、その内面には対物レンズ２をトラッキング方向に対して直交するフォーカシング方向に移動させるための一対のフォーカシング用磁石５が互いに対向するように設けられている。また、キャリッジ３の内側には、対物レンズ２が固定されたレンズ固定部６及びレンズ固定部６をキャリッジ３に支持する支持部７が配置されている。
【００１６】
図２は、レンズ固定部６及び支持部７を表す斜視図である。レンズ固定部６は、一対のフォーカシング用磁石５に挟まれるように配置されている。図２に示すように、レンズ固定部６の上面には対物レンズ２が固定されているとともに、フォーカシング用磁石５に対向するそれぞれの側面にはフォーカシング用コイル８が固定されている。フォーカシング用コイル８に電流が付与されると、フォーカシング用磁石５とフォーカシング用コイル８とにより電磁力が発生し、当該電磁力によりレンズ固定部６がフォーカシング方向に移動することとなる。この移動によってフォーカシング方向における対物レンズ２の位置調整を実行することができる。
【００１７】
支持部７には、レンズ固定部６の上部とキャリッジ３の上部とを連結する２枚の上部支持板９と、レンズ固定部６の下部とキャリッジ３の下部とを連結する２枚の下部支持板１０とが設けられている。２枚の上部支持板９及び２枚の下部支持板１０のキャリッジ側端部、固定部側端部のそれぞれにはスペーサ１１が介在していて、このスペーサ１１によって２枚の上部支持板９の間及び２枚の下部支持板１０の間に隙間Ｓが形成されている。また、２枚の上部支持板９及び２枚の下部支持板１０のレンズ固定部側端部は、接着剤によってレンズ固定部６に接着されている。
【００１８】
また、図１に示すようにキャリッジ３の両側面にはそれぞれトラッキング用コイル１２が、巻き方向がトラッキング方向に沿うように取り付けられている。トラッキング用コイル１２には、ガイド４と平行な内ヨーク１３が挿入されている。内ヨーク１３の外側には、外ヨーク１４が内ヨーク１３とともに枠を形成するように配置されている。外ヨーク１４の内側には、内ヨーク１３に沿って棒状のトラッキング用磁石１５が配置されている。
【００１９】
そして、トラッキング用コイル１２に電流が流れると、トラッキング用磁石１５とにより電磁力が発生することになる。この電磁力によって、キャリッジ３がガイド４に沿って移動し、対物レンズ２をトラッキング方向に移動させることになる。
【００２０】
次に、本実施形態の作用について説明する。
対物レンズ２の位置制御時においては、トラッキング用コイル１２に電流が付与されて、トラッキング用コイル１２とトラッキング用磁石１５との間に電磁力が発生する。この電磁力によりキャリッジ３がトラッキング方向に沿って移動し、対物レンズ２のトラッキング方向における位置が調整される。
【００２１】
トラッキング方向の位置調整と同時に、フォーカシング用コイル８に電流が付与されて、フォーカシング用コイル８とフォーカシング用磁石５との間に電磁力が発生する。この電磁力により、レンズ固定部６がフォーカシング方向に沿って移動し、対物レンズ２のフォーカシング方向における位置が調整される。
【００２２】
以上のように、本実施形態によれば、上部支持板９と下部支持板１０との総数を４枚としているので、２枚分の厚みの上部支持板９と下部支持板１０とを１枚ずつ用いた場合と比較しても、剛性の高まりを小さくすることができ、フォーカシング方向への負荷の増加を抑制することができる。そして、上部支持板９と下部支持板１０との総数が３枚以上であるので、トラッキング方向への移動の際の振動も抑制されることになる。したがって、支持板９，１０の振動を抑制し、対物レンズ２の位置制御を安定化することができる。
【００２３】
また、本実施形態では、上部支持板９の総数と下部支持板１０の総数とが同数であるので、どちらの剛性も均一化されてバランスがよくなり、フォーカシング方向への位置調整がより安定することになる。
【００２４】
なお、本発明は上記実施の形態に限らず適宜変更可能であるのは勿論である。
例えば、２枚の上部支持板９の隙間Ｓや、２枚の下部支持板１０の隙間Ｓに制振剤を充填させると、振動をより抑制することが可能となる。
【図面の簡単な説明】
【００２５】
【図１】本実施形態の光学系駆動装置の概略構成を表す斜視図である。
【図２】図１の光学系駆動装置に備わるレンズ固定部及び支持部を表す斜視図である。
【図３】従来の光学系駆動装置の概略構成を表す斜視図である。
【符号の説明】
【００２６】
１      光学系駆動装置
２      対物レンズ
３      キャリッジ
４      ガイド
５      フォーカシング用磁石
６      レンズ固定部
７      支持部
８      フォーカシング用コイル
９      上部支持板
１０      下部支持板
１１      スペーサ
１２      トラッキング用コイル
１３      内ヨーク
１４      外ヨーク
１５      トラッキング用磁石
【図１】
2007334978.tif 000003
【図２】
2007334978.tif 000004
【図３】
2007334978.tif 000005